(57)【要約】【課題】  他の機器のリモートコントローラが所定ボタンを有するか否かにかかわらず、適切な操作機能情報を他の機器に表示することができる画像出力装置を提供する。【解決手段】  リモートコントローラの発する出力信号に応じて動作し且つ画像を表示する表示部を備えた表示機器に対し、電気的に接続可能な画像出力装置２において、表示機器と電気的に接続する接続部２２と、表示機器の表示部に表示する画像を、接続部２２を介して出力する出力部１８と、リモートコントローラの出力信号を受信した表示機器から出力されるリモコンの操作状態を表す操作状態信号を接続部２２を介して入力し、該操作状態信号に基づき、リモートコントローラに特定ボタンが存在するか否かを判別する判別部１０と、判別部１０による判別結果に基づいて、特定ボタンに対する操作指示に割り当てられている画像出力装置２の機能を示す操作機能情報を、表示部に表示するか否かを制御する制御部１０とを備える。【選択図】  図２
2011205327.tif 000002
【特許請求の範囲】
【請求項１】
画像を表示する表示部を備え且つリモートコントローラの発する出力信号に応じて動作可能な表示機器に対し、電気的に接続可能な画像出力装置において、
前記表示機器と電気的に接続する接続部と、
前記表示機器の前記表示部に表示する画像を、前記接続部を介して出力する出力部と、
前記リモートコントローラの出力信号を受信した前記表示機器から出力されるリモコンの操作状態を表す操作状態信号を前記接続部を介して入力し、該操作状態信号に基づき当該リモートコントローラに特定ボタンが存在するか否かを判別する判別部と、
前記判別部による判別結果に基づいて、前記特定ボタンに対する操作指示に割り当てられている前記画像出力装置の機能を示す操作機能情報を、前記表示部に表示するか否かを制御する制御部と、
を備えることを特徴とする画像出力装置。
【請求項２】
前記判別部は、前記表示機器から出力された、前記リモートコントローラの特定ボタンへの操作を表す前記操作状態信号を、前記接続部を介して入力すると、当該リモートコントローラに特定ボタンが存在すると判別することを特徴とする請求項１記載の画像出力装置。
【請求項３】
前記接続部を介して電気的に接続された前記表示機器を識別するための識別データを、前記判別部で判別された前記特定ボタンの存在の有無情報と関連付けて記憶する記憶部を備え、
前記制御部は、前記記憶部に記憶されている前記特定ボタンの存在の有無に基づいて、前記操作機能情報を表示するか否かを制御することを特徴とする請求項１または請求項２記載の画像出力装置。
【請求項４】
前記接続部を介して前記表示機器に電気的に接続された際に、前記判別部により該表示機器に前回接続された際の判別と異なる判別がなされた場合には、
前記記憶部は、前記判別部による判別結果を更新して記憶することを特徴とする請求項３記載の画像出力装置。
【請求項５】
前記識別データは、前記表示機器のベンダー名及びモデル名であることを特徴とする請求項３または請求項４記載の画像出力装置。
【請求項６】
前記特定ボタンに対する操作指示を、前記表示部上に表示せしめるための操作指示表示情報を出力する表示情報出力部を備え、
前記判別部は、前記操作指示を前記表示部に表示しているときに、前記特定ボタンへの操作を表す前記操作状態信号が前記接続部を介して入力されたか否かに基づいて、前記特定ボタンが存在するか否かを判別することを特徴とする請求項１〜請求項５の何れか一項に記載の画像出力装置。
【請求項７】
前記操作指示の前記表示部への表示に応じて前記特定ボタンが操作された場合には、該特定ボタンに対する操作に割り当てられている前記画像出力装置の機能を実行しないことを特徴とする請求項６記載の画像出力装置。
【請求項８】
前記リモートコントローラ上に設けられている操作ボタンを含む当該リモートコントローラの画像を登録する登録部を備え、
前記判別部は、前記登録部に登録されている前記画像に基づいて、前記特定ボタンが存在するか否かを判別することを特徴とする請求項１記載の画像出力装置。
【請求項９】
前記判別部により前記特定ボタンが存在しないと判別された場合には、
前記特定ボタンに対する操作指示に割り当てられている前記画像出力装置の機能を、前記リモートコントローラに設けられている他の操作ボタンで選択設定可能なように割り当てることを特徴とする請求項１〜請求項８の何れか一項に記載の画像出力装置。
【請求項１０】
前記特定ボタンは、テレビ用リモートコントローラに設けられているカラーボタンであることを特徴とする請求項１〜請求項９の何れか一項に記載の画像出力装置。
【発明の詳細な説明】
【技術分野】
【０００１】
本発明は、表示機器に対して画像データを出力可能な画像出力装置に関するものである。
【背景技術】
【０００２】
メモリカードから読み出した画像データに基づく画像を映像表示器に表示させる際に、映像表示器に表示される画像の表示状態に対してリモートコントローラ（以下、リモコンという。）により操作するための操作ガイドを、画像と共にアイコン表示する画像表示装置が提案されている（例えば、特許文献１参照）。この特許文献１記載の画像表示装置では、リモコンの各色キーに対する操作指示に割り当てられている機能を容易に把握することができるように、リモコンの各色キーの色と、映像表示器に画像と共に表示されるアイコンの色とを同じものにしている。
【先行技術文献】
【特許文献】
【０００３】
【特許文献１】特開２００６−１０８７４８号公報
【発明の概要】
【発明が解決しようとする課題】
【０００４】
ところで、上述の特許文献１記載の画像表示装置では、リモコンに色キーが設けられていることを前提としているが、すべてのリモコンに色キーが設けられているわけではない。したがって、色キーと同じ色を付したアイコン等を用いて操作ガイドを表示する機能は、色キーが設けられているリモコンを使用するユーザーにとって便利な機能であるが、色キーが設けられていないリモコンを使用するユーザーにとって混乱を招くおそれがある。一方、操作ガイドを表示しないこととした場合、色キーについては、十字キーやＯＫボタン等、操作機能を推測容易なボタンと異なり、操作機能を推測するのが困難なため、色キーが設けられているリモコンを使用するユーザーにとって不便である。
【０００５】
本発明の目的は、リモートコントローラが特定ボタンを有するか否かにかかわらず、表示機器と接続した際にリモートコントローラについての適切な操作機能情報を表示機器の表示部に表示することができる画像出力装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の画像出力装置は、画像を表示する表示部（４ａ）を備え且つリモートコントローラ（６）の発する出力信号に応じて動作可能な表示機器（４）に対し、電気的に接続可能な画像出力装置（２）において、前記表示機器（４）と電気的に接続する接続部（２２）と、前記表示機器（４）の前記表示部（４ａ）に表示する画像を、前記接続部（２２）を介して出力する出力部（１８）と、前記リモートコントローラ（６）の出力信号を受信した前記表示機器（４）から出力されるリモコンの操作状態を表す操作状態信号を前記接続部(２２)を介して入力し、該操作状態信号に基づき当該リモートコントローラ（６）に特定ボタン（６ｅ）が存在するか否かを判別する判別部（３０）と、前記判別部（３０）による判別結果に基づいて、前記特定ボタン（６ｅ）に対する操作指示に割り当てられている前記画像出力装置（２）の機能を示す操作機能情報を、前記表示部（４ａ）に表示するか否かを制御する制御部（１０）とを備えることを特徴とする。
【発明の効果】
【０００８】
本発明の画像出力装置によれば、リモートコントローラが特定ボタンを有するか否かにかかわらず、表示機器と接続した際にリモートコントローラについての適切な操作機能情報を表示機器の表示部に表示することができる。
【図面の簡単な説明】
【０００９】
【図１】実施の形態に係るカメラと、該カメラに接続されるテレビ及びテレビのリモコンの概略構成を模式的に示した図である。
【図２】実施の形態に係るカメラのシステム構成を示すブロック図である。
【図３】テレビのリモコンの外観を示す図である。
【図４】実施の形態に係るカメラにおいてテレビの表示部に表示する表示画像を制御するための処理について説明するためのフローチャートである。
【図５】テレビの表示部の表示例を示す図である。
【発明を実施するための形態】
【００１０】
以下、図面を参照して、本発明の実施の形態に係る画像出力装置としてのカメラについて説明する。図１は、この実施の形態に係るカメラ２と、カメラ２に接続されるテレビ４及びテレビ４用のリモートコントローラであるリモコン６の概略構成を模式的に示した図である。図１に示すように、カメラ２とテレビ４とは、カメラ２のＨＤＭＩ端子２２（図２参照）、ＨＤＭＩケーブル８及びテレビ４のＨＤＭＩ端子（図示せず）を介して、デジタルインターフェース規格であるＨＤＭＩ（High-Definition Multimedia Interface）規格により電気的に接続されている。ＨＤＭＩは、カメラ２とテレビ４とを接続するＨＤＭＩケーブル８を介して、画像信号、音声信号及びＣＥＣ（Consumer Electronics Control）による制御信号（以下、ＣＥＣ信号という。）を送受信することができる。
【００１１】
カメラ２は、テレビ４に対して電気的に接続されると、テレビ４の表示部４ａに表示する画像を、ＨＤＭＩケーブル８を介して出力する。テレビ４は、画像等を表示するための表示部４ａ、リモコン６の発する出力信号（リモコン信号）を受信する受信部（受光部）４ｂ、リモコン６の発する出力信号に応じてテレビの動作を制御する制御部（不図示）を備えている。表示部４ａは、カメラ２がテレビ４に対して電気的に接続されたとき、カメラ２から出力される画像を表示する。リモコン６は、テレビ４の表示部４ａの表示状態等について操作することができる。テレビの制御部（不図示）は、リモコン６が操作されて受信部４ｂによりリモコン信号を受信すると、そのリモコン信号のコードを解析して、リモコンのどの操作ボタンが操作されたのか（リモコンの操作状態）、について判断する。テレビの制御部は、その判断がなされると、「リモコンの○○ボタンが操作された」旨（リモコンの操作状態を表す旨）を意味する操作状態信号（以下、本実施形態では「メッセージ信号」と称する）を生成すると共に、そのメッセージ信号を、ＨＤＭＩケーブル８（ＨＤＭＩのＣＥＣライン）を介してカメラ２に出力する。カメラ２は、ＨＤＭＩケーブル８を介してテレビ４と接続されている場合にリモコン６が操作されると、上述のメッセージ信号を、ＨＤＭＩケーブル８及びＨＤＭＩ端子２２を介してＣＥＣ信号として受信する。なお、カメラ２は、ＨＤＭＩケーブル８を介して、テレビ４に対して後述するようなＣＥＣ信号を送信することもできる。
【００１２】
図２は、この実施の形態に係るカメラ２のシステム構成を示すブロック図である。図２に示すように、カメラ２は、制御部１０、撮像素子１２、記録媒体１４、操作部１６、画像信号出力部１８、ＣＥＣ信号制御部２０、ＨＤＭＩ端子２２、及び記憶部２４を備えて構成されている。制御部１０は、ＣＰＵ等により構成されており、カメラ２の各部を統括的に制御する。この実施の形態では、カメラ２から出力される画像が表示部４ａに表示されている際、リモコン６に色キーが存在するか否かを判別し、判別結果に基づいて操作機能情報を表示部４ａに表示するか否かを制御する。なお、操作機能情報については、後述する。
【００１３】
撮像素子１２は、ＣＣＤまたはＣＭＯＳ等により構成されており、図示しない撮影レンズを透過した被写体からの被写体光を撮像する。記録媒体１４は、カメラ２に設けられた記録媒体差込口（図示せず）に着脱可能に装着される可搬性を有する記録媒体である。記録媒体１４には、撮像素子１２から出力された撮像信号に基づき生成された画像データが撮影日時、絞り値、シャッタースピード等、その他画像データに関する情報と共に記録されている。操作部１６は、カメラ２の電源をオンオフする電源スイッチ（図示せず）、撮影等を指示するシャッターボタン（図示せず）、メニュー項目等の選択やカーソルを移動させるための十字操作キー（図示せず）、各種選択項目に対する選択確定操作を行うためのＯＫ（決定）ボタン（図示せず）等を含んで構成されている。
【００１４】
画像信号出力部１８は、撮像素子１２から出力された撮像信号に基づくスルー画像、記録媒体１４に記録されている画像、記録媒体１４に記録されている画像に関する情報、メニュー画面に基づく画像信号等を出力する。ＣＥＣ信号制御部２０は、ＣＥＣ信号の送受信を制御する。画像信号出力部１８及びＣＥＣ信号制御部２０は、ＨＤＭＩ端子２２に接続されており、画像信号出力部１８から出力される画像信号及びＣＥＣ信号制御部２０から出力されるＣＥＣ信号は、ＨＤＭＩ端子２２、ＨＤＭＩ端子２２に接続されているＨＤＭＩケーブル８を介して、テレビ４に対して送信される。
【００１５】
記憶部２４には、過去にカメラ２にＨＤＭＩ規格により接続されたテレビを識別するための識別データ、例えばテレビのベンダー名及びモデル名が、電気的に接続された接続日時と共に、そのテレビに対して使用されたリモコンに色キーが存在するか否かを示す有無情報と関連付けて記憶されている。なお、色キーについては、後述する。
【００１６】
図３は、リモコン６の外観を示す図である。リモコン６には、図３に示すように例えば、テレビ４の電源をオンオフする電源ボタン６ａ、テレビ放送チャンネルをダイレクトに選局するダイレクト選局ボタン６ｂ、メニュー画面等においてメニュー項目等を選択するための十字キー６ｃ、各種選択項目に対する選択確定操作を行うためのＯＫボタン６ｄ、及び青（Ｂ）、赤（Ｒ）、緑（Ｇ）、黄（Ｙ）の色キー６ｅ等が設けられている。色キー６ｅには、テレビ４の表示部４ａの表示されている表示画像に対応して、所定の操作機能が割り当てられる。
【００１７】
次に、図４に示すフローチャートを参照して、この実施の形態に係るカメラ２においてテレビ４の表示部４ａに表示する表示画像を制御するための処理について説明する。
【００１８】
まず、制御部１０は、カメラ２がＨＤＭＩ規格によりテレビ４に対して電気的に接続されているか否かを判別する（ステップＳ１０）。ステップＳ１０において、図１に示すようにカメラ２がテレビ４に対して電気的に接続されていると判別された場合には（ステップＳ１０、Ｙｅｓ）、制御部１０は、テレビ４の表示部４ａに表示するための表示画像に基づく画像信号を、画像信号出力部１８から出力させ、ＨＤＭＩ端子２２、ＨＤＭＩケーブル８を介して、テレビ４に対して送信する（ステップＳ１１）。なお、表示画像は、上述したように、スルー画像（撮影モード時）、記録媒体１４に記録されている画像（再生モード時）、記録媒体１４に記録されている画像に関する情報、またはメニュー画面等である。
【００１９】
次に、制御部１０は、テレビ４のベンダー名及びモデル名に関する情報を送信するよう要求するＣＥＣ信号を、ＣＥＣ信号制御部２０から出力させ、ＨＤＭＩ端子２２、ＨＤＭＩケーブル８を介して、テレビ４に対して送信する（ステップＳ１２）。そして、制御部１０は、ステップＳ１２において送信したＣＥＣ信号（テレビ４のベンダー名及びモデル名に関する情報を送信するよう要求するＣＥＣ信号）に対する回答、即ち、テレビ４のベンダー名及びモデル名に関する情報をテレビ４から受信できたか否かを判別する（ステップＳ１３）。
【００２０】
ステップＳ１３においてテレビ４のベンダー名及びモデル名に関する情報を受信できた場合には（ステップＳ１３、Ｙｅｓ）、制御部１０は、カメラ２が過去にテレビ４に対して接続されたことがあるか否かを判別する（ステップＳ１４）。具体的には、記憶部２４にテレビ４のベンダー名及びモデル名が記憶されている場合には、カメラ２が過去にテレビ４に対して接続されたことがあると判別し（ステップＳ１４、Ｙｅｓ）、記憶部２４にテレビ４のベンダー名及びモデル名が記憶されていない場合には、カメラ２が過去にテレビ４に対して接続されたことがないと判別する（ステップＳ１４、Ｎｏ）。ステップＳ１４においてカメラ２が過去にテレビ４に接続されたことがあると判別された場合には（ステップＳ１４、Ｙｅｓ）、制御部１０は、テレビ４に対して使用されたリモコン６に色キー６ｅが存在したか否かを判別する（ステップＳ１５）。
【００２１】
具体的には、記憶部２４に、テレビ４のベンダー名及びモデル名に関連付けて、テレビ４に対して使用されたリモコン６に色キー６ｅが存在することを示す情報が記憶されている場合には、制御部１０は、リモコン６に色キー６ｅが存在すると判別する（ステップＳ１５、Ｙｅｓ）。一方、記憶部２４に、テレビ４のベンダー名及びモデル名に関連付けて、テレビ４に対して使用されたリモコン６に色キー６ｅが存在しないことを示す情報が記憶されている場合には、制御部１０は、リモコン６に色キー６ｅが存在しないと判別する（ステップＳ１５、Ｎｏ）。
【００２２】
一方、テレビ４がベンダー名及びモデル名を送信することができない等により、ステップＳ１３においてテレビ４のベンダー名及びモデル名に関する情報を受信できなかった場合（ステップＳ１３、Ｎｏ）、またはステップＳ１３においてカメラ２が過去にテレビ４に対して接続されたことがないと判別された場合（ステップＳ１４、Ｎｏ）には、制御部１０は、リモコン６に色キー６ｅが存在するか否かのチェックを行う（ステップＳ１６）。具体的には、色キー６ｅに対する操作指示を、表示部４ａ上に表示せしめるための操作指示情報、例えば「青、赤、緑、黄の色キーのいずれかを押してください。」等の色キー６ｅの押下を指示するメッセージ画面に基づく画像信号を、画像信号出力部１８から出力させ、ＨＤＭＩ端子２２、ＨＤＭＩケーブル８を介して、テレビ４に対して送信する。そして、制御部１０は、色キー６ｅの押下を指示するメッセージ画面が表示部４ａに表示されているときに（色キー６ｅの操作に伴ってリモコン６から発生するリモコン出力信号が、テレビ４により受信されたことにより）、色キー６ｅが操作されたことを示すメッセージ信号（ＣＥＣ信号）がテレビ４からＨＤＭＩケーブル８を介して入力されたか否かを判別する。色キー６ｅに対する操作を示すメッセージ信号が入力されたと判別された場合には、リモコン６に色キー６ｅが存在すると判別し（ステップＳ１７、Ｙｅｓ）、色キー６ｅに対する操作を示すメッセージ信号が入力されなかったと判別された場合には、色キー６ｅを備えたリモコン６でなく、色キーを備えないリモコンを使用していると判別する（ステップＳ１７、Ｎｏ）。
【００２３】
なお、色キー６ｅの押下を指示するメッセージ画面が表示されている間に、色キー６ｅの押下がなされた場合に、色キーを備えたリモコンを使用していると判別しているが（ステップＳ１７、Ｙｅｓ）、メッセージ画面の表示中だけでなく、メッセージ画面の表示がされなくなった後、所定時間の間に、色キー６ｅの押下がなされた場合に、色キーを備えたリモコンを使用していると判別する構成にしてもよい。所定時間は、図示しないメモリ等に記憶され、変更可能なものとする。
【００２４】
また、色キー６ｅの押下を指示するメッセージ画面が表示部４ａに表示されているときに、該メッセージ画面に応じて色キー６ｅが操作された場合には、色キー６ｅに対する操作に割り当てられているカメラ２の機能は、実行されない。例えば、青（Ｂ）の色キー６ｅに対して割り当てられているカメラ２の機能が、記録媒体１４に記録されている画像の再生処理である場合において、メッセージ画面が表示されているときに青（Ｂ）の色キー６ｅがユーザーにより押下されたとしても、記録媒体１４に記録されている画像の再生処理は実行されない。
【００２５】
また、色キーの押下を要求するメッセージ画面を表示部４ａに表示する際に、色キーを使用しないユーザー、色キーが設けられていないリモコンを使用するユーザー等のために、「中止する」等の色キーの有無のチェックを今回のみ中止する際に選択されるアイコンや、「このメッセージを今後表示しない」等の色キーの有無のチェックを今後行わないようにする際に選択されるアイコンを表示することもできる。
【００２６】
ステップＳ１５またはステップＳ１７においてリモコンに色キーが存在しないと判別された場合には（ステップＳ１５またはステップＳ１７、Ｎｏ）、制御部１０は、リモコン６の色キー６ｅのそれぞれに対する操作指示に割り当てられているカメラ２の機能を示す操作ガイドを非表示にする設定を行う（ステップＳ１８）。具体的には、図５に示すような操作ガイド３２を、表示部４ａに表示することなく、表示画像（図５では、画像３０）のみを表示する。この際、色キー６ｅに対する操作指示に割り当てられているカメラ２の機能を、リモコンに設けられている他の操作ボタン、例えば十字キーやＯＫボタン等で選択設定可能なように割り当てる。即ち、青（Ｂ）の色キー６ｅに対して割り当てられているカメラ２の機能が、記録媒体１４に記録されている画像の再生処理である場合において、青（Ｂ）の色キー６ｅに割り当てられている再生処理機能を、例えばＯＫボタンを押下することによりメニュー画面を表示させ、十字キーの上下ボタンを操作することによりメニュー画面内のメニュー項目の一つである「画像の再生」を選択する等、青（Ｂ）の色キー６ｅがなくとも他の操作ボタンを操作することにより、画像の再生処理が実行できるようにする。
【００２７】
次に、制御部１０は、テレビ４により受信され、ＨＤＭＩケーブル８及びＨＤＭＩ端子２２を介して入力されるＣＥＣ信号の中に、リモコンの色キーの操作に伴ってテレビから生成・出力された、色キーの操作を示すメッセージ信号（ＣＥＣ信号）が含まれているか否かを判別する（ステップＳ１９）。そして、リモコンの色キーの操作を表すメッセージ信号信号が含まれていると判別された場合には（ステップＳ１９、Ｙｅｓ）、リモコン６に色キー６ｅが存在すると判断し、リモコンの色キーの操作を表すメッセージ信号が含まれていないと判別された場合には（ステップＳ１９、Ｎｏ）、リモコンに色キーが存在しないと判断する。
【００２８】
ステップＳ１５またはステップＳ１７においてリモコン６に色キー６ｅが存在すると判別された場合（ステップＳ１５またはステップＳ１７、Ｙｅｓ）、またはステップＳ１９において色キーから発せられた出力信号が含まれていると判別されることにより（ステップＳ１９、Ｙｅｓ）、リモコン６に色キー６ｅが存在すると判断された場合には、制御部１０は、操作ガイド３２を表示する（ステップＳ２０）。具体的には、記憶部２４に記憶されている操作ガイド３２を読み出し、読み出した操作ガイド３２を画像信号出力部１８から出力させ、ＨＤＭＩ端子２２、ＨＤＭＩケーブル８を介して、テレビ４に対して送信する。表示部４ａには、例えば図５に示すように、カメラ２から送信された信号に基づき、表示画像３０上に操作ガイド３２が表示される。
【００２９】
図５に示す操作ガイド３２には、リモコン６の青（Ｂ）の色キー６ｅに対する操作指示に割り当てられているカメラ２の機能が、記録媒体１４に記録されている画像の再生処理であることが示されている。即ち、リモコン６の青（Ｂ）の色キー６ｅが押下されると、リモコン６から発せられた出力信号が、テレビ４により受信された後にメッセージ信号（ＣＥＣ信号）に変換されて、ＨＤＭＩケーブル８及びＨＤＭＩ端子２２を介してカメラ２に入力される。制御部１０は、入力されたメッセージ信号（ＣＥＣ信号）から、青（Ｂ）の色キー６ｅが押下されたことを認識し、青（Ｂ）の色キー６ｅに割り当てられているカメラ２の機能、即ち記録媒体１４に記録されている画像の再生処理を実行する。具体的には、記録媒体１４に記録されている画像に基づく画像信号を、画像信号出力部１８から出力させ、ＨＤＭＩ端子２２、ＨＤＭＩケーブル８を介して、テレビ４に対して送信する。画像信号が送信されると、テレビ４の表示部４ａには、送信された画像信号に基づく画像（記録媒体１４に記録されている画像）が表示される。
【００３０】
同様に、操作ガイド３２には、リモコン６の赤（Ｒ）の色キー６ｅに対する操作指示に割り当てられているカメラ２の機能がメニュー画面の表示処理であること、リモコン６の緑（Ｇ）の色キー６ｅに対する操作指示に割り当てられているカメラ２の機能が表示画像３０の拡大処理であること、リモコン６の黄（Ｙ）の色キー６ｅに対する操作指示に割り当てられているカメラ２の機能が表示画像３０の縮小処理であること、が示されている。即ち、赤（Ｒ）の色キー６ｅが押下されるとメニュー画面が表示部４ａに表示され、緑（Ｇ）の色キー６ｅが押下されると拡大された表示画像３０が表示部４ａに表示され、黄（Ｙ）の色キー６ｅが押下されると縮小された表示画像３０が表示部４ａに表示される。なお、例えば赤（Ｒ）の色キー６ｅに割り当てられるカメラ２の機能を、メニュー画面を表示部４ａに表示する表示処理でなく、表示画像３０の記録媒体１４からの削除処理にする等、各色キー６ｅの機能を自由に設定することもできる。
【００３１】
次に、制御部１０は、テレビ４との接続履歴の更新を行う（ステップＳ２１）。具体的には、記憶部２４に記憶されているテレビ４のベンダー名及びモデル名、テレビ４に対して電気的に接続された接続日時と共に、テレビ４に対して使用されたリモコン６に色キー６ｅが存在するか否かを示す有無情報等を最新のものに書き換える。例えば、テレビ４に前回接続された際にテレビ４に対して使用されたリモコンに色キーが存在しないことを示す情報が記憶部２４に記憶されていたが、テレビ４に今回接続された際にテレビ４に対して使用されたリモコン６に色キー６ｅが存在すると判別された場合等、前回と今回とで異なる判別がなされた場合には、判別結果を更新して記憶部２４に記憶させる。
【００３２】
そして、制御部１０は、カメラ２がテレビ４に対して電気的に非接続されたか否かを判別し（ステップＳ２２）、ステップＳ２２においてテレビ４に対して電気的に非接続されたと判別された場合には（ステップＳ２２、Ｙｅｓ）、テレビ４の表示部４ａに表示するための表示画像に基づく画像信号の出力を停止する。
【００３３】
この実施の形態に係るカメラ２によれば、リモコンが色キーを備えているか否かを判別することができるため、リモコンが色キーを備えている場合には、色キーに割り当てられているカメラ２の機能を示す操作ガイド３２を表示し、リモコンが色キーを備えていない場合には、操作ガイド３２を表示しない。したがって、色キーが設けられているリモコンを使用するユーザー、及び色キーが設けられていないリモコンを使用するユーザー双方にとって、リモコン操作を容易にすることができる。即ち、色キーが設けられているリモコンを使用するユーザーは、操作ガイド３２を参照しつつリモコン操作を行うことができ、色キーが設けられていないリモコンを使用するユーザーは、操作ガイド３２が表示されることによる混乱もなく、十字キーやＯＫボタン等を用いてリモコン操作を行うことができる。
【００３４】
なお、上述の実施の形態においては、画像出力装置としてカメラを例に挙げて説明したが、テレビ等の表示機器に電気的に接続可能であり、表示機器の表示部に表示させるための画像データを出力することができる他の画像出力装置、例えばフォトストレージ、ＤＶＤプレイヤーやパーソナルコンピュータ等にも本発明を適用することができる。また、上述の実施の形態においては、カメラに接続される表示機器としてテレビを例に挙げて説明したが、画像出力装置に電気的に接続可能であり、画像を表示するための表示部を有する他の表示機器にも本発明を適用することができる。
【００３５】
次に、上述の実施の形態に係るカメラ２において、リモコンが色キーを備えているか否かを判別する他の方法（変形例）について説明する。上述の実施の形態では、リモコン６の出力信号に基づいてリモコン６が色キー６ｅを備えているか否かを判別しているが、変形例では、予めカメラ２でリモコン上に設けられている操作ボタンを撮影し、その撮影画像を、テレビ４に使用されるリモコン画像として、テレビ４のベンダー名及びモデル名に関連付けて登録する。即ち、記憶部２４に記憶させる。そして、制御部１０は、登録されているリモコン画像に基づいて、例えばリモコン画像の画像解析等を行うことにより、そのリモコンに色キーが存在するか否かを判別する。
【００３６】
なお、リモコンの操作ボタンを撮影可能な撮像部を有さない画像出力装置（例えば、上述のフォトストレージ等）においては、カメラ等により撮影されたリモコンの操作ボタンを撮影したリモコン画像を、カメラから転送し、登録する構成にするとよい。
【符号の説明】
【００３７】
２…カメラ、４…テレビ、６…リモコン、８…ＨＤＭＩケーブル、１０…制御部、１２…撮像素子、１４…記録媒体、１６…操作部、１８…画像信号出力部、２０…ＣＥＣ信号制御部、２２…ＨＤＭＩ端子、２４…記憶部。
【図１】
2011205327.tif 000003
【図２】
2011205327.tif 000004
【図３】
2011205327.tif 000005
【図４】
2011205327.tif 000006
【図５】
2011205327.tif 000007